(57)【要約】【課題】  汎用インターフェイスである通信用端子を外部に露出する際のコスト低下の方法と、該通信用端子に対しての誤接続を防止する構造を備える電子機器を提供する。【解決手段】  電子機器の通信用端子を外部に露出させるために、電子機器のキャビネット１Ａに開口部５を設ける際、外部機器を接続するための接続部３を外部に露出するための第１の挿入口５ａと、ＵＳＢ端子２を外部に露出するための第２の挿入口５ｂを一つに形成することによって、開口部の数を少なくすることができ、加工コストの低減が可能となる。また、ＵＳＢ端子２にカバー６を装着することで、ＵＳＢ端子２と同様の汎用インターフェイスを持った想定外の機器の接続を防ぐことができる。【選択図】      図１
2006331267.tif 000002
【特許請求の範囲】
【請求項１】
外部機器との接続のための接続部と通信用端子を実装する回路基板と、該回路基板を収納するケースを備える電子機器において、前記接続部と通信用端子は相互に隣接するように前記回路基板に配置され、前記ケースには前記接続部と通信用端子とを外部に露出するための共通した開口部を形成したことを特徴とする通信用端子を備えた電子機器。
【請求項２】
前記接続部と通信用端子を前記回路基板の表裏に実装し、前記接続部に対して前記通信用端子が幅狭に形成するとともに、前記通信用端子は、前記接続部の長さの範囲内に収まるように配置され、前記開口部は前記接続部と対応する第１の挿入口と前記通信用端子に対応する第２の挿入口とが連続して形成し、前記ケースに前記第２の挿入口を閉塞する誤接続防止用の着脱可能な蓋体を設けたことを特徴とする請求項１に記載の通信用端子を備えた電子機器。
【請求項３】
前記蓋体の装着時に前記第１の挿入口がほぼ一定の幅となることを特徴とする請求項２に記載の通信用端子を備えた電子機器。
【請求項４】
通信用端子を備えた電子機器において、前記通信用端子に接続するためのプラグを有する記憶媒体を接続し、電子機器内部のマイコンに記憶された制御プログラムのバージョンアップ行うために使用することを特徴とする通信用端子を備えた電子機器。
【発明の詳細な説明】
【技術分野】
【０００１】
本発明は、電子機器内部に備えたマイコンのバージョンアップのために使用する記憶媒体を接続するための通信用端子を備えた電子機器に関する。
【背景技術】
【０００２】
従来、電子機器は、周辺機器と通信するために、ＵＳＢ（Ｕｎｉｖｅｒｓａｌ  Ｓｉｒｅａｌ  Ｂｕｓ）やＩＥＥＥ（Ｔｈｅ  Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ，Ｉｎｃ．）１３９４などのインターフェイスを用いる通信用端子を備えている。これらのインターフェイスは、多様な機器の接続を行うことができる規格として様々な電子機器に利用されている。また、従来、周辺機器との通信用端子を備える電子機器において、通信用端子に埃や液体などの付着を防ぐためのカバーやキャップなどの蓋状のものを端子露出部に装着するものがある。また、電子機器内部に備えた記憶部に記憶されたプログラムの更新を、通信用端子によって接続した周辺機器若しくはコンピュータを用いて行う方法が開示されている。
【０００３】
例えば特許文献１には、接続に使用しないジャックに埃やゴミ、水などが侵入しにくいようなジャックカバーを開示している。複数のジャックを備えた電子機器に嵌合し、ジャック毎に独立して着脱可能にカバーを備えることにより、使用中のジャックのみを露出させ、使用していないジャックはカバーにより保護されるという構成を示している。例えば、ある電子機器が画像入力端子として、複数の端子を備えているとすると、画像入力端子として全ての端子を同時に使用することはできず、使用されていない端子には何も挿入されずにいる状態になる。これを択一的にジャックにカバーをすることが可能となるという構成である。
【０００４】
特許文献２には、電子機器のプログラムを、ノート型パソコンや携帯情報端末などと接続し、更新を行う方法が開示されている。これは、電子機器のプログラムを書き換えるプログラムを記憶した不揮発性メモリを備えた通信用インターフェイスを電子機器に装着し、更新するプログラムなどのデータを蓄積したノート型パソコンなどを、ＵＳＢなどの通信用インターフェイスを通じて電子機器と接続し、書き換えを行う方法であり、端子に汎用性の高い通信用インターフェイスを用いることによって、電子機器専用の治具を用いることなく、電子機器のプログラムの更新を行うことができるというものである。
【０００５】
【特許文献１】特開２００２−２３１３７６号公報
【特許文献２】特開２００４−３０５１８号公報
【発明の開示】
【発明が解決しようとする課題】
【０００６】
しかしながら、従来の汎用性の高い通信用インターフェイスは、様々な種類の周辺機器に対応していることから、利用者が想定外の機器の誤接続を行い、電子機器が破損し、又は誤動作を行う虞がある。
【０００７】
本発明は上記課題を鑑みてなされたものであり、電子機器に通信用端子を設置する際のコストを低減し、更にこの通信用端子に対する誤接続を防止し、通信用端子に記憶媒体を接続し電子機器内部のマイコンのバージョンアップを行うための通信用端子を備えた電子機器を提供することを目的とする。
【課題を解決するための手段】
【０００８】
請求項１に係る通信用端子を備えた電子機器は、外部機器との接続のための接続部と通信用端子を実装する回路基板と、この回路基板を収納するケースを備える電子機器において、前記接続部と通信用端子は相互に隣接するように前記回路基板に配置され、前記ケースには前記接続部と通信用端子とを外部に露出するための共通した開口部を形成したことを特徴とする。
【０００９】
請求項１の構成によれば、外部機器と接続するための接続部と通信用端子が隣接するように回路基板に配置し、外部露出のための開口部を１つで形成し、接続部と通信用端子の双方が共通して使用することで、開口部の形成が容易になり、形成にかかるコストを抑えることができる。
【００１０】
請求項２に係る通信用端子を備えた電子機器は、請求項１に記載の通信用端子を備えた電子機器において、前記接続部と通信用端子を前記回路基板の表裏に実装し、その接続部に対して前記通信用端子が幅狭に形成するとともに、その通信用端子は、通信用端子を接続部の長さの範囲内に収まるように配置され、前記開口部は前記接続部と対応する第１の挿入口と前記通信用端子に対応する第２の挿入口とが連続して形成し、前記ケースに前記第２の挿入口を閉塞する誤接続防止用の着脱可能な蓋体を設けたことを特徴とする。
【００１１】
請求項２の構成によれば、接続部と通信用端子とで回路基板を挟み、且つ通信用端子を接続部の両端より内側に配置し、電子機器の外観を構成するケースに接続部に対応する第１の挿入口と通信用端子に対応する第２の挿入口とを連続した開口部として形成する。更に、第２の挿入口を閉塞する蓋体を設置し、誤接続を防止する。
【００１２】
請求項３に係る通信用端子を備えた電子機器は、請求項２に記載の通信用端子を備えた電子機器において、前記蓋体の装着時に前記第１の挿入口がほぼ一定の幅となることを特徴とする。
【００１３】
請求項３の構成によれば、第２の挿入口に蓋体をしても、第１の挿入口の幅に影響を及ぼさないため、外部機器を第１の挿入口に接続する場合、確実に接続を行うことができる。
【００１４】
請求項４に係る通信用端子を備えた電子機器は、通信用端子を備えた電子機器において、該通信用端子に接続するためのプラグを有する記憶媒体を接続し、電子機器内部のマイコンに記憶された制御プログラムのバージョンアップ行うために使用することを特徴とする。
【００１５】
請求項４の構成によれば、電子機器内部のマイコンのバージョンアップ時に通信用プラグを備えた記憶媒体を使用することによって、専用の書き込み治具を必要とせず、接続も容易に行うことができる。
【発明の効果】
【００１６】
請求項１に係る通信用端子を備えた電子機器は、例えば外部機器としてＢ−ＣＡＳ（ＢＳ  Ｃｏｎｄｉｔｉｏｎａｌ  Ａｃｃｅｓｓ  Ｓｙｓｔｅｍｓ）カードを使用し、通信用端子にＵＳＢ端子を使用するような電子機器において、Ｂ−ＣＡＳカードを接続するための接続部とＵＳＢ端子を、回路基板を挟むように設置する。電子機器外部に露出させるために開口部を形成する必要があるが、この開口部をカード接続部及びＵＳＢ端子が隣接していることから、１つの共通する開口部として形成ができる。すなわち、開口部を別々に形成するよりも容易であり、且つ低コストで形成を行うことができる。
【００１７】
請求項２に係る通信用端子を備えた電子機器は、接続部と通信用端子を、回路基板を挟み、かつ通信用端子を接続部の両端より内側に配置し、この接続部を外部に露出するための第１の挿入口と、通信用端子を外部に露出するための第２の挿入口を、電子装置の外観を構成するケースに形成する際に、第１の挿入口と第２の挿入口を連続した開口部として形成することにより、ケースの加工に必要なコストの低減を図ることができる。また、通信用端子の挿入口である第２の挿入口を閉塞する蓋体により、該端子に対応するプラグをもった想定外の機器の接続を未然に防ぐことができる。
【００１８】
請求項３に係る通信用端子を備えた電子機器は、第２の挿入口を覆うような蓋体を装着しても、第１の挿入口の露出は確保できるので、蓋体が障害物になることなく、スムースに外部機器の着脱を行うことができる。
【００１９】
請求項４に係る通信用端子を備えた電子機器は、マイコンのバージョンアップ時に通信用プラグを備えた記憶媒体に、マイコンで稼動するソフトウェア又はその差分データを記憶させ、それを前記通信用端子に接続しバージョンアップを行うことにより、マイコンに書き込むための専用の治具は必要無く、通信用プラグを備える凡庸な記憶媒体を利用することができる。また、外部に露出している通信用端子に差し込むだけで、マイコンとの接続ができる。
【発明を実施するための最良の形態】
【００２０】
以下、本発明を実施するための最良の形態としての実施例を図１から図７を参照して説明する。もちろん、本発明は、その発明の趣旨に反さない範囲で、実施例において説明した以外のものに対しても容易に適用可能なことは説明を要するまでもない。
【実施例１】
【００２１】
図１〜図５は、本発明の実施例１を示し、図１は、実施例１における電子機器を示す斜視図である。図２は、電子機器内部に実装されるデジタル基板を示す斜視図である。図３は図２で示すデジタル基板を電子機器外部に露出させるための開口部を示す平面図である。図４は、開口部に臨むデジタル基板に配置されたカード挿入部及び通信用端子であるＵＳＢ端子を示す平面図であり、（ａ）は蓋を外した状態、（ｂ）は蓋を取り付けた状態を示す。図５は、ＵＳＢ端子に蓋を取り付ける際に、ビスにより蓋を固定した状態を示す平面図である。
【００２２】
本実施例の構成を、図１に基づいて説明する。１は本実施例における電子機器であるテレビジョン受像機で、３は接続部である例えばＢ−ＣＡＳカードなどを挿入するカード型装置挿入部である。５はテレビジョン受像機に外部機器を接続するための開口部であり、カード型装置挿入部３を露出する第一の挿入口５ａ、及び後述の通信用端子であるＵＳＢ端子を露出する第二の挿入口５ｂにより形成される。第二の挿入口５ｂは蓋体であるＵＳＢ端子用カバー６によって閉塞されている。
【００２３】
図２は、電子機器１が内部に備えるデジタル基板を示している。２は通信用端子であるＵＳＢ端子である。デジタル基板４にカード型装置挿入部３と通信用端子であるＵＳＢ端子２とで挟むような位置に設置されるものである。図３は、図２に示すデジタル基板に設置されたＵＳＢ端子２やカード型装置挿入部３を外部に露出させるためのケースとしてのキャビネット１Ａの形状を示す平面図である。５は、電子機器１に形成された開口部であり、５ａはカード型装置挿入部３を露出するための第１の挿入口であり、５ｂはＵＳＢ端子２を露出するための第２の挿入口である。図４（ａ）は、図２に示すデジタル基板を図３に示す電子機器１の開口部５に当接させた状態を示しており、（ｂ）は、（ａ）の開口部のＵＳＢ端子２側に対して蓋体であるＵＳＢ端子用カバー６を取り付けた状態を示している。ＵＳＢ端子用カバー６を取り付けた状態では、第１の挿入口の幅は均一であり、ＵＳＢ端子用カバー６がカード型装置挿入部３の障害になることは無い。
【００２４】
以上のように構成される本実施例においては、ＵＳＢ端子２をカード型装置挿入部３と挟むようにして設置することにより、双方を外部に露出する際に形成しなくてはならない開口部を、カード型装置接続部３及びＵＳＢ端子２のそれぞれに対応した第１の挿入口５ａ及び第２の挿入口５ｂを、図３に示すような連続した開口部として形成することにより、電子装置１のキャビネット１Ａの加工に関するコストを低減させることができる。また図４（ｂ）に示すように、ＵＳＢ機器の利点である接続・切断を容易とする構成を、あえて蓋をすることにより、利用者による想定外の機器の接続によるマイコンの破壊や誤動作を防ぐことができる。また、ＵＳＢ端子用カバー６は、カード型装置接続部３を露出する第１の挿入口５ａの形状の障害とならないような形状なので、カード型装置接続部３に対する接続を容易に行うことができる。図５は、蓋体であるＵＳＢ端子用カバー６の一端をビス７で留める構成を示しており、容易にＵＳＢ端子用カバー６の着脱を行えないようにすることで、利用者の誤接続をより確実に防ぐことができる。
【００２５】
本実施例において通信用端子をＵＳＢ端子としたが、特にこれに限定せず、ＩＥＥＥ１３９４などの汎用性の高い通信インターフェイス端子を用いてもよい。また、図５において、ＵＳＢ端子用カバーの一端をビスで留めるとしたが、両端や複数の箇所に対してビスで留めてもよい。
【実施例２】
【００２６】
図６及び７は本発明の実施例２を示したものであり、前記実施例１と同一部分には同一符号を付し、その詳細な説明を省略する。図６は本実施例における電子機器の構成を示すブロック図である。デジタル／アナログチューナ１０１により、放送電波を受信し、映像音声信号を抽出し、デジタル処理マイコン１０２へ送る。デジタル処理マイコン１０２は、カード型装置挿入部３に挿入されているカードから情報を読み取り、例えばデジタル放送の双方向通信に必要な情報を電子機器１に反映するなどの動作を行う。デジタル処理マイコン１０２は映像音声信号を映像音声処理部１０４に送り映像化し、それを表示部１０８によって表示する。
【００２７】
以上のように構成される本実施例においては、図７が示すようにＵＳＢ端子２に、ＵＳＢプラグを備えた記憶媒体であるＵＳＢメモリ８を接続し、利用者がリモコン１０７、メインマイコン１０３を通じて操作を行うことにより、ＵＳＢメモリに記憶されたデジタル処理マイコン１０２のバージョンアップソフトウェアを用いてバージョンアップを行うことができる。このＵＳＢメモリ８は、電子機器１専用の治具として特別に用意するものではなく、事前に更新プログラムを記憶しておいた市販のＵＳＢ端子付きメモリでよい。また、通信用インターフェイスをＵＳＢとして説明したが、これに限定せず、ＩＥＥＥ１３９４などの汎用性の高いインターフェイスを用いても何ら問題はない。
【図面の簡単な説明】
【００２８】
【図１】本発明の実施例１における、電子機器を示す斜視図である。
【図２】同上、電子機器に設置されるＵＳＢ端子を備えたデジタル基板を示す斜視図である。
【図３】同上、図２に示すデジタル基板を当接させ、外部に露出させるためのキャビネットの開口部を示す平面図である。
【図４】同上、（ａ）は、図２に示すデジタル基板を、図３に示す開口部に当接させた状態を示す平面図であり、（ｂ）は、（ａ）の状態のＵＳＢ端子にＵＳＢ端子用カバーを装着した状態を示す平面図である。
【図５】同上、ＵＳＢ端子用カバーをビスによって固定した状態を示す平面図である。
【図６】本発明の実施例２における電子機器の構成を示すブロック図である。
【図７】同上、電子機器のＵＳＢ端子にＵＳＢプラグを備えた記憶媒体を接続した状態を示す斜視図である。
【符号の説明】
【００２９】
１    電子機器
１Ａ  キャビネット（ケース）
２    ＵＳＢ端子（通信用端子）
５    開口部
５ａ  第１の挿入口
５ｂ  第２の挿入口
６    ＵＳＢ端子用カバー（蓋体）
８    ＵＳＢメモリ（通信用プラグを備えた記憶媒体）
【図１】
2006331267.tif 000003
【図２】
2006331267.tif 000004
【図３】
2006331267.tif 000005
【図４】
2006331267.tif 000006
【図５】
2006331267.tif 000007
【図６】
2006331267.tif 000008
【図７】
2006331267.tif 000009